(57)【要約】 【課題】  従来のくくり罠は、獣道を探し、野生動物が足を踏み下ろす箇所に括り罠を仕掛けなければならず、くくり罠の設置や設置場所の選定に熟練技術を必要とし、初心者にとって野生動物を捕獲することは非常に困難であった。一方、箱罠は寸法も大きく、重量物であるため運搬が困難であった。【解決手段】  本発明は、地上に固定した台座の上に前記台座の大きさと同等以上の大きさを有する上部が開放された容器を固定し、容器内にエサを盛り付けて野生動物を誘き寄せ、前記容器の外周の直下よりも外側にくくり罠を仕掛けるようにした。設置場所を選ばず、運搬も容易で初心者でも捕獲野生動物の捕獲が期待できる動物捕獲用くくり罠装置である。 【選択図】  図１
2019062865.tif 000002
【特許請求の範囲】
【請求項１】
地上に固定した台座の上に、
前記台座と同等以上の底面積を有する上部が開放された容器を固定し、
前記容器の外周の直下よりも外側にくくり罠を仕掛けた、
ことを特徴とする動物捕獲用くくり罠装置。
【請求項２】
請求項1記載の動物捕獲用くくり罠装置において、
容器を四角形として対抗する二辺の側板の高さを隣接する他辺の高さより低くし、
側板の高さの低い少なくとも何れか1つの辺の外周の直下より前にくくり罠を仕掛けた、
ことを特徴とする動物捕獲用くくり罠装置。
【請求項３】
請求項1〜請求項２記載の何れか1つの動物捕獲用くくり罠装置において、
容器をメッシュ構造とした、
ことを特徴とする動物捕獲用くくり罠装置。
【請求項４】
請求項1〜請求項３記載の何れか1つの動物捕獲用くくり罠装置において、
台座を無くし、容器を地上に固定した、
ことを特徴とする動物捕獲用くくり罠装置。
【請求項５】
請求項1〜請求項４記載の何れか1つの動物捕獲用くくり罠装置を使用し、
容器の中にエサを盛り付けて野生動物を捕獲する事を特徴とする野生動物捕獲方法。
【発明の詳細な説明】
【技術分野】
【０００１】
本発明は、森林や田畑を荒らす猪、鹿、その他の野性動物を捕獲するために使用する動物捕獲用くくり罠装置に関するものである。
【背景技術】
【０００２】
従来のくくり罠は猪、鹿等の野生動物を捕獲するために仕掛ける罠で、獣道に設置し、野生動物が移動中に罠を動作させるセンサーを踏んだとき、括りワイヤで足首を括って捕獲する狩猟罠である。一方、箱罠は野生動物の食するエサを箱周辺や箱内にばら撒き、野生動物が箱内に入り、エサを食したときに箱の入り口を閉めて箱内に捕獲する罠である。しかしながら、野生動物の食するエサで野生動物を誘き寄せくくり罠を使って捕獲すると言う、エサとくくり罠を組合わせた動物捕獲用くくり罠装置については殆んど知られていない。
【先行技術文献】
【特許文献】
【０００３】
【特許文献１】特開２０１３−４６５７５
【特許文献２】実登３１７９３１０
【特許文献２】実登３１９０８５５
【発明の概要】
【発明が解決しようとする課題】
【０００４】
くくり罠は主として猪、鹿等の野生動物を捕獲するために使用される罠の一種で、足首を括りワイヤで括って捕獲する狩猟罠である。従来のくくり罠は、獣道に掘った落し穴の開口部に踏板を被せて、その踏板の周囲に括りワイヤの一端に形成した括り輪を置き、それらの上に落ち葉や土砂等を被せて罠を覆い隠しておく。そして、バネの跳上げアームを係止具で固定し、バネの基アームを地上に固定しておく。猪等が踏板を踏み、足が落し穴に落ちると、同時に、跳上げアームが係止具から外れて括りワイヤを上方へ跳ね上げ、括り輪で足を絞って抜けないようにする。くくり罠を設置するのに落し穴を必要とし、さらに排出される土も多く廃土等から猪等に感づかれ易く、人の匂いが周辺に付着するため、猪等が警戒して罠に近寄らなくなるという不具合もある。
また、野生動物が通る獣道を探して、しかも獣道の野生動物が足を踏み下ろす箇所に括り罠を仕掛けなければ、くくり罠で野生動物を捕獲できない。すなわち、長い長い獣道にくくり罠を設置し、各種の工夫、細工を施して前記の小さな踏板を野生動物に踏ませる必要があり、小さな踏板を確実に踏ませるのは非常に難しく、くくり罠の設置や設置場所の選定に熟練技術を必要とし、初心者にとってはくくり罠で野生動物を捕獲することは非常に困難であった。
野生動物が罠を仕掛けた獣道を通り、小さな踏板を踏んでくれるのを待つ消極的な待ち型の狩猟方法である。
【０００５】
一方、箱罠は猪、鹿等の野生動物を捕獲するために、周辺および箱内に前記野生動物の食するエサを置き、エサで誘き寄せて、箱本体に動物導入口を設け、この導入口より箱内に動物が侵入してエサをくわえた瞬間に、導入口の扉の係止を解除して扉を落下・閉塞して動物を捕獲する捕獲する誘導型の積極的な狩猟方法である。
しかし、箱罠は寸法も大きく、しかも重量物であるため動物の生息する場所への運搬が困
難で、何処にでも設置できない。また、エサに誘われて箱罠を設置した場所まで来るが、沢山のエサがあるのは箱の中であり、箱は鉄格子等で囲われているため、猪等が箱内に入りエサを食することを警戒し、入り口近くのエサのみを食し、箱体の奥にあるエサを食しないという問題がある。
このような課題を抽出し、野生動物をくくり罠の設置場所に積極的に誘導し、運搬の容易さ、設置の容易さや捕獲率向上を図ったのが本発明である。
【課題を解決するための手段】
【０００６】
上記した課題に鑑み、本発明の第一は、
地上に固定した台座の上に、
前記台座と同等以上の底面積を有する上部が開放された容器を固定し、
前記容器の外周の直下よりも外側にくくり罠を仕掛ける、
ようにした動物捕獲用くくり罠装置である。
本発明の第二は、
容器を四角形として対抗する二辺の側板の高さを隣接する他辺の高さより低くし、
側板の高さの低い少なくとも何れか1つの辺の外周の直下より前にくくり罠を仕掛ける、
ようにした前記動物捕獲用くくり罠装置である。
本発明の第三は、
容器をメッシュ構造とした
前記動物捕獲用くくり罠装置である。
本発明の第四は、
台座を無くし、容器地上に固定した
前記動物捕獲用くくり罠装置である。
本発明の第五は、
前記の何れか1つの動物捕獲用くくり罠装置を使用し、
容器の中にエサを盛り付けて野生動物を捕獲する
ようにした野生動物捕獲方法である。
【発明の効果】
【０００７】
本発明は、地上に固定された台座の上に上部が開放された容器を固定し、この容器に野生動物の食するエサを盛り付け、前記容器の外周の直下よりも外側にくくり罠を仕掛ける様にしている。野生動物が通る獣道を探して、しかも獣道の野生動物が足を踏み下ろす箇所に仕掛ける必要のあった従来のくくり罠に比べ、容器にエサを盛り付け、エサにより野生動物を積極的に誘導しているので、野生動物が集まりやすく、エサを盛った容器の直近にくくり罠を設置しているので、エサを食するのに夢中な野生動物は、足元のくくり罠への注意が散漫となりくくり罠の捕獲率が向上する。また、動物捕獲用くくり罠装置は従来のくくり罠のように設置場所を獣道に設置する必要は無いので、罠の設置場所選定に熟練技術を必要とせず、初心者でも野生動物の捕獲率を高くすることが出来る。
また、箱罠のように寸法が大きく、重量物でも無いので設置場所への運搬は容易であり、任意の場所に設置でき、エサは上部が開放された容器の中にあるため、エサを食することに警戒心が和らぎ、エサに食い付き易くなり、容器の直近にくくり罠を設置しているので
足元のくくり罠へ注意が散漫となりくくり罠の捕獲率を向上させることが出来る。。
【図面の簡単な説明】
【０００８】
【図１】本願発明の一実施態様を示す動物捕獲用くくり罠装置の斜視図である。
【図２】本願発明の他の実施態様を示す動物捕獲用くくり罠装置の斜視図である。
【図３】本願発明の他の実施態様を示す動物捕獲用くくり罠装置の斜視図である。
【図４】本願発明の他の実施態様を示す動物捕獲用くくり罠装置の斜視図である。
【発明を実施するための形態】
【０００９】
次に、本発明を実施するための形態について、図面を参照しながら動物捕獲用くくり罠装置の例を説明する。ただし、以下に示す実施例は、本発明の技術思想を具体化するための動物捕獲用くくり罠装置の例を示すものであって、以下のものに特定するものでない。なお、以下の説明では本発明の特徴を理解しやすくするため、くくり罠の構造そのものについては簡単な説明に止め、構造等の詳細な説明は省略する。
【実施例】
【００１０】
本実施例の説明においては、動物捕獲用くくり罠装置１０１の容器１として四角形の容器を用いたものについて説明する。四角形の容器が最も扱いやすいが円形等の他の形状でも良い。図1に示すように、台座６は台座固定脚４と台座板２で構成している。台座板２は約２ｃｍで台座固定脚４と強固に固定されており、台座固定脚４は地上部の高さが約３０ｃｍになるように４本の杭を、大地に容易に動かない程度まで打ち込む。前記台座板２の上に台座板２よりも大きい底面積を有する四角形の容器１を置き、容器１も動かないように台座板２に固定している。容器１の底には数カ所に孔をあけ、雨水等が溜まるのを防止している。容器１の大きさは約４０ｃｍＸ６０ｃｍで深さは約１０ｃｍで、容器１の４角、側板、側板の上端面等は滑らかに仕上げている。
容器１の長辺側の側板の直下近傍にくくり罠４を設置する。くくり罠４のバネにコイルバネや安全ピン型の跳ね上げアームを有する物等各種のくくり罠が有るが、特に限定をしない。くくり罠４が動作したとき、バネの一部がエサを食む野生動物に当たり足を括るくくり罠４のワイヤーの締め込みが阻害されないように設置する必要がある。
【００１１】
エサに誘われてやって来た野生動物、例えば猪は、エサを入れた容器１の上端の地表からの高さが約４０ｃｍあるので、親猪であれば容易に食くすることができる。エサを食べている時、容器１は台座６に固定されているのでひっくり返されることは無い。
親猪は容器１の中のエサを食しながら、エサが遠くなった場合、エサを食べようと夢中で容器１の周囲を周回するので足元への注意が散漫になり、くくり罠４を仕掛けた箇所に来た時にくくり罠４を動作させて足を括られることに成る。
【００１２】
図１の動物捕獲用くくり罠装置１０１は台座６を固定できる所であれば特に設置場所は選ばない。箱罠の傍、石垣の前、大木の前、樹木の密集している前など何処にでも設置できる。前記の説明では台座固定脚３を大地に打ち込むと説明したが、別の方法、例えばロープ等で重量物に固定しても良い。台座固定脚４の地上部の高さや容器１の深さも適宜調整して良いのは言うまでもない。容器１の上端の地表からの高さを高くすれば小猪の捕獲をしないようにもできる。
また、くくり罠４は１つだけ設置した事例で説明したが、容器１の側板の直下近傍に複数個のくくり罠４を設置しても良い。
このように、本発明の動物捕獲用くくり罠装置１０１はエサに誘導されてきた野生動物に
、くくり罠４の設置を警戒させる事無く捕獲することができる極めて実用性に秀れた画期的なくくり罠装置である。
【００１３】
本発明の別の実施例について図２を参照して説明する。この発明が前記発明と大きく異なるのは、四角形の容器２０の対抗する二辺の側板の高さを隣接する他辺の高さより低くし、側板の高さの低い少なくとも何れか1つの辺の外周の直下より前にくくり罠を仕掛けるようにしている。もちろん、高さの低い側板１２の夫々の辺の外周の直下に複数個のくくり罠を設置しても良い。本発明では高さの高い側板１１と低い側板１２を設けることにより、野生動物、例えば猪をエサの食べやすい高さの低い側板１２の方に誘導するようにすると共に、対向する側板の高さを低くすることにより、前方の自然景色が見えて猪の警戒心を解き放つように工夫している。
このように、本発明の動物捕獲用くくり罠装置１０２はエサに誘導されてきた野生動物に、くくり罠４の設置を警戒させる事無く捕獲することができる極めて実用性に秀れた画期的なくくり罠装置である。
【００１４】
本発明の別の実施例について図３を参照して説明する。この発明は、四角形の容器３０をメッシュ構造とすることにより、エサの臭いを周囲に発散し易くすると共に野生動物の視覚によりエサを発見し易くしたものである。容器１０の上端面は木材等の縁を付ける等により滑らかな構造と、エサを食するときに警戒感を無くするようにしている。そして、野生動物の臭覚、視覚にうったえてエサによる誘導効果を高めている。
このように、本発明の動物捕獲用くくり罠装置は１０３エサに誘導されてきた野生動物に、くくり罠４の設置を警戒させる事無く捕獲することができる極めて実用性に秀れた画期的なくくり罠装置である。
【００１５】
本発明の別の実施例について図４を参照して説明する。この発明が前記発明と大きく異なるのは、台座６を無くしたことにある。図４では容器固定脚１３を大地に打ち込み、この容器固定脚１３に容器４０を固定し容器４０が大地に接するように設置している。
エサに誘われてやって来た野生動物、例えば子猪の捕獲を避ける場合は、容器４０の上端の低い辺でも地表からの高さを４０ｃｍ程度にするのが効果的である。この高さにしても親猪は容易に良くすることができる。エサを食べている時、容器４０は容器固定脚１３に固定されているのでひっくり返されることは無い。親猪は容器４０の中のエサを食しながら、エサが遠くなった場合、エサを食べようと夢中で容器４０の周囲を周回するので足元への注意が散漫になり、くくり罠４を仕掛けた箇所に来た時にくくり罠を動作させて足を括られることに成る。
このように、本発明の動物捕獲用くくり罠装置１０４はエサに誘導されてきた野生動物に、くくり罠４の設置を警戒させる事無く捕獲することができる極めて実用性に秀れた画期的なくくり罠装置である。
【００１６】
上述したように、本発明の動物捕獲用くくり罠装置１０１〜１０４はエサで野生動物をくくり罠４を設置した場所へ誘導する実用性に秀れた画期的なくくり罠装置である。これらのくくり罠装置で野生動物を捕獲する方法については既に述べてきたが、動物捕獲用くくり罠装置１０１〜１０４を使用して野生動物を捕獲する方法の重要な点は、狩猟を開始する１ケ月ぐらい前から、台座６、容器１，２０，３０、４０を設置してエサを盛り付け、野生動物にエサの有る場所を覚えさせ慣れさせておき、猟期が始まってからくくり罠４を仕掛けることにある。台座６、容器１，２０，３０，４０は動かないようにしっかりと固定し、エサが食されている事を確認すると共にエサを補給し、盛り付けたエサは腐敗する
前に取り換えるようにする。また、くくり罠４が動作したとき、バネの一部がエサを食む野生動物に当たり足を括るくくり罠４のワイヤーの締め込みが阻害されないように設置するのが効果的である。
【産業上の利用可能性】
【００１７】
本発明の動物捕獲用くくり罠装置は、特に猪や鹿等の有蹄動物の捕獲に有用で、確実に目的とする害獣の足首を括って捕らえることが可能であり、猟銃などが使えない場所でも使用できる。
【符号の説明】
【００１８】
１  容器
２  台座板
３  台座固定脚
４  くくり罠
６  台座
１１  高さの高い側板
１２  高さの低い側板
１３  容器固定脚
２０  容器
３０  メッシュ容器
４０  容器
１０１〜１０４  動物捕獲用くくり罠装置
【図１】
2019062865.tif 000003
【図２】
2019062865.tif 000004
【図３】
2019062865.tif 000005
【図４】
2019062865.tif 000006